(57)【特許請求の範囲】
【請求項１】
上部に開口部を有する有底箱状をなす容器本体と、同容器本体の開口部内周面に沿って段差状に形成された支持面上に下端縁が支持されるように開口部内周面の少なくとも一部に沿う形状をなす袋止めとよりなり、前記袋止めと容器本体の開口部内周面との間に、容器本体内に収容される袋の開口端部を挟み込んで、その袋を開口状態で保持する袋止めを備えた容器であって、
前記袋止めの軸線方向に延びる両側縁部に、各側縁部から上方又は下方へ突出する突出部を前記軸線を中心に線対称に形成し、支持面に、下方に位置する突出部が入り込む凹部を形成し、
前記袋止めの外面の少なくとも一部には、その軸線方向に沿って前記袋止めの反りを防止する補強凸条が形成されている袋止めを備えた容器。
【請求項２】
前記突出部は、容器本体の上端面よりも低い高さに位置しており、前記突出部の外面と容器本体の開口部内周面との間には隙間が形成されている請求項１に記載の袋止めを備えた容器。
【発明の詳細な説明】
【０００１】
【発明の属する技術分野】
この発明は、例えばゴミ袋を内部に収容してゴミ箱として使用される袋止めを備えた容器に関するものである。
【０００２】
【従来の技術】
一般に、上部に開口を有する容器本体をゴミ箱として使用する場合、容器本体内面がゴミで汚れるのを防止したり、容器本体内に収容されたゴミの回収を容易に行ったりするために、容器本体内にはゴミ袋が予め収容されている。また、ゴミ投入時に、ゴミの重みでゴミ袋が容器本体内にずれ落ちてしまったりするのを防止するために、その開口端部が容器本体の開口部に沿って開口した状態で保持されている。
【０００３】
ゴミ袋を容器本体の開口端部に保持する袋止め手段としては、特開平６−２１９５０１号公報に開示されるものが知られ、容器本体と、袋止めとしての平面コ字状をなす一対の保持部材とにより構成されている。容器本体は上部に開口を有する細長四角箱状に形成されている。各保持部材の両側片は容器本体の長辺のほぼ半分の長さにそれぞれ形成され、両側片間の中間片は容器本体の短辺の長さとほぼ同じ長さに形成されている。
【０００４】
各保持部材の両側片の先端部の外面には、回動軸がそれぞれ突出形成されている。また、中間片の軸線方向へ延びる一側縁は直線状に形成され、他側縁の中央には、外方へ突出する突出部が形成されている。中間片の外側面には外方へ突出する係合突起が２箇所に形成されている。容器本体の開口部内周面には、その開口部に沿って内方へ水平に突出する支持面が形成されている。
【０００５】
そして、各保持部材において、各中間片が容器本体の短辺に沿うように支持面上に配置するとともに、各回動軸を容器本体の開口部内周面に形成された軸孔にそれぞれ嵌合させて、回動自在に支持させる。このとき、各保持部材の一側縁は支持面上に支持され、他側縁は容器本体の開口縁よりやや低い位置になり、突出部は開口縁とほぼ同じ高さに位置するようになっている。
【０００６】
そして、各保持部材を上方へそれぞれ回動させ、それらにゴミ袋の開口端部を巻き込む。さらに、その状態で、各保持部材を下方へそれぞれ回動させる。すると、ゴミ袋の開口端部が保持部材、容器本体の開口部内周面及び支持面との間に挟み込まれ、さらに、係合突起が、容器本体の開口部内周面においてそれらに対応する位置に形成された係合孔に係合する。その結果、係合突起により両保持部材が容器本体の開口部に上方へ移動不能に保持されるとともに、ゴミ袋の開口端部が容器本体の開口部に保持される。
【０００７】
ゴミ袋の回収の際は、両保持部材の突出部を内方へ押圧して、係合突起と係合孔との係合を解除する。そして、保持部材を上方へ回動させ、保持部材へのゴミ袋の開口端部の巻き込みを解除し、ゴミ袋の開口端部を持って上方へ引き上げる。その結果、ゴミ袋が回収される。
【０００８】
【発明が解決しようとする課題】
ところが、保持部材の他側縁に突出された突出部は保持部材の係合突起と容器本体の係合孔との係合を解除する際に、押圧して使用される。そのため、２つの保持部材を容器本体に組付けるときは、突出部が上方へ突出するように、その突出部の向きを確認しながら行わなければならなかった。その結果、保持部材の組付け作業が非常に面倒であるという問題があった。
【０００９】
また、支持面は面一に形成され、その支持面上に支持される保持部材の一側縁も直線状に形成されている。そのため、保持部材の一側縁と支持面との間に挟み込まれたゴミ袋が抜けやすいという問題もあった。
【００１０】
この発明は、このような従来技術に存在する問題点に着目してなされたものである。その目的とするところは、容器本体に対する袋止めの組付けを簡単に行うことができるとともに、袋を確実に保持することができる袋止めを備えた容器を提供することにある。
【００１１】
【課題を解決するための手段】
上記の目的を達成するために、請求項１に記載の発明の袋止めを備えた容器は、上部に開口部を有する有底箱状をなす容器本体と、同容器本体の開口部内周面に沿って段差状に形成された支持面上に下端縁が支持されるように開口部内周面の少なくとも一部に沿う形状をなす袋止めとよりなり、前記袋止めと容器本体の開口部内周面との間に、容器本体内に収容される袋の開口端部を挟み込んで、その袋を開口状態で保持する袋止めを備えた容器であって、前記袋止めの軸線方向に延びる両側縁部に、各側縁部から上方又は下方へ突出する突出部を前記軸線を中心に線対称に形成し、支持面に、下方に位置する突出部が入り込む凹部を形成し、前記袋止めの外面の少なくとも一部には、その軸線方向に沿って前記袋止めの反りを防止する補強凸条が形成されているものである。
【００１２】
請求項２に記載の発明の袋止めを備えた容器は、請求項１に記載の発明において、前記突出部は、容器本体の上端面よりも低い高さに位置しており、前記突出部の外面と容器本体の開口部内周面との間には隙間が形成されているものである。
【００１４】
【発明の実施の形態】
以下、この発明をゴミ箱に具体化して、図面に基づいて詳細に説明する。
図１及び図５に示すように、ゴミ箱として使用される容器本体１１はポリプロピレンによりほぼ細長四角板状に形成された底壁１２と、その底壁１２の周縁に沿って立設された相対向する一対の短側壁１３と、相対向する一対の長側壁１４とから上部に開口部を有する有底細長四角箱状に構成されている。さらに、両短側壁１３及び両長側壁１４は上部側ほど僅かに拡がるテーパ形状に形成されている。そして、容器本体１１内に袋としてのゴミ袋１５を収容することができるようになっている。また、各短側壁１３及び各長側壁１４の高さや底壁１２の大きさを変更することにより、容量の異なる容器本体１１が複数種類製作され、その容量に対応してゴミ袋１５の大きさも調整される。
【００１５】
図４に示すように、容器本体１１の両短側壁１３及び両長側壁１４の上端部からは、外方に向かって水平に延びる支持面１６が突設され、その支持面１６は容器本体１１の開口部内周面に沿って段差状に形成されている。その支持面１６の外縁より外方位置には断面逆Ｕ字状をなす周面フランジ１７が突設されている。
【００１６】
図１及び図２に示すように、一対の短側壁１３上に位置する支持面１６の中央上面には円弧状をなす凹部１８が下方へ凹設されている。各凹部１８の上方に位置する周面フランジ１７の内壁には係合孔１９が形成され、図４に示すように、それらは周面フランジ１７の内壁を貫通するとともに、下方へ開放した状態になっている。一対の長側壁１４上に位置する周面フランジ１７の内壁の中央位置には一対の軸孔２０が形成されている。それらは周面フランジ１７の内壁を貫通するとともに、下方へ開放した状態になっている。また、一対の長側壁１４上に位置する周面フランジ１７の両側の上端縁には、嵌合凹部１７ａがそれぞれ形成されている。
【００１７】
図２に示すように、袋止めとしての一対の合成樹脂材料製の保持部材２１は、一対の側片２２とそれらの一端側を連結する中間片２３とにより平面コ字状に形成され、可撓性を有している。各保持部材２１の両側片２２は容器本体１１の長側壁１４の上端部のほぼ半分の長さに形成され、中間片２３は容器本体１１の短側壁１３の上端部の長さとほぼ同じ長さに形成されている。
【００１８】
各保持部材２１の両側片２２の端部の外面には、回動軸２４がそれぞれ突出形成されている。また、中間片２３において、各保持部材２１の軸線方向に延びる両側縁部の中央には、それらから外方へ突出する円弧状をなす突出部２５がそれぞれ形成され、それらは前記軸線を中心に線対称に形成されている。つまり、各突出部２５は中間片２３の軸線に対して上下対称に形成されている。また、中間片２３の外面中央の突出部２５間には、外方へ突出する係合突起２６が１箇所に形成されている。さらに、各保持部材２１の外面には、保持部材２１の軸線に沿って延びる補強凸条２７が形成されている。その補強凸条２７により両保持部材２１に一定の剛性を付与している。
【００１９】
そして、各保持部材２１を、それらの中間片２３を容器本体１１の各短側壁１３に、両側片２２を長側壁１４にそれぞれ対応させて、容器本体１１の開口部の内周面に沿って配置し、それらの回動軸２４を軸孔２０にそれぞれ嵌挿する。すると、図４に示すように、両保持部材２１は、その一側縁、図４では下端縁が支持面１６上に支持されるとともに、それらの外面と周面フランジ１７の内壁との間に隙間が形成される。また、図１の２点鎖線に示すように、回動軸２４を中心に上下方向へ回動可能に組付けられる。
【００２０】
このとき、図１に示すように、支持面１６上に支持された各保持部材２１の他側縁、図１では上端縁は容器本体１１の周面フランジ１７の上端縁よりやや低い位置になる。また、下方に位置する一方の突出部２５は支持面１６の凹部１８内に入り込んで支持され、他方の突出部２５は上方へ突出し、周面フランジ１７の上端面とほぼ同じ高さに位置している。図４に示すように、係合突起２６は係合孔１９にそれぞれ係合するようになっている。その結果、容器本体１１と一対の保持部材２１とにより袋止めを備えた容器２８が構成される。
【００２１】
容器本体１１の開口部を開閉可能にする蓋体２９を、容器本体１１の上部に装着するジョイント３０は、図２に示すように、合成樹脂材料によりほぼ矩形板状に形成されている。ジョイント３０の長さ方向に延びる一側縁部の両側からは、ジョイント３０に対して直交して外方へ突出し、さらに下方へ突出する断面逆Ｕ字状をなす嵌合部３１がそれぞれ形成されている。ジョイント３０の長さ方向に延びる他側縁部の両側には、ジョイント３０に対して直交するとともに、前記嵌合部３１と１８０度反対方向へ突出し、さらに、その先端部が円弧状に曲げ形成された軸受け部３２がそれぞれ形成されている。各軸受け部３２はジョイント３０の長さ方向に沿って下方へ開口し、その開口端の一部には開口の内径を縮めるように形成されている。
【００２２】
そして、図１に示すように、ジョイント３０の両嵌合部３１を容器本体１１の両嵌合凹部１７ａにそれぞれ嵌合することにより、ジョイント３０を容器本体１１の一方の長側壁１４上に位置する周面フランジ１７に取付けることができるようになっている。
【００２３】
図２及び図３に示すように、前記蓋体２９は容器本体１１の開口縁に対応する平面細長四角形状に形成されている。その一方の長辺側には、ロック部材３３が、その基端部側を回動可能に支持されている。そのロック部材３３の先端部の両側部には一対の係止片３４が突出形成されている。また、図５の破線に示すように、蓋体２９の他方の長辺には、所定間隔をおいて一対の支軸３５が形成されている。
【００２４】
そして、蓋体２９の両支軸３５を、容器本体１１に取付けられたジョイント３０の軸受け部３２に嵌合する。その結果、蓋体２９を容器本体１１の上部に装着することができるとともに、軸受け部３２に嵌合された支軸３５を中心に回動可能に支持することができるようになっている。従って、蓋体２９は容器本体１１の上部開口を開閉することができる。また、図３に示すように、蓋体２９により、容器本体１１の上部開口を閉塞し、ロック部材３３を下方へ回動させると、ロック部材３３の一対の係止片３４が周面フランジ１７の下端縁に係止して、ロック部材３３により蓋体２９を開放不能にロックすることができるようになっている。
【００２５】
次に、袋止めを備えた容器２８の使用方法及び作用について以下に記載する。
袋止めを備えた容器２８は、製造工場において、容器本体１１、一対の保持部材２１等がそれぞれ成形され、それらを組立てて製造される。容器本体１１の成形において、係合孔１９及び軸孔２０はそれぞれ下方が開放された状態で形成されているため、容器本体１１成形用の型は上下に型閉めすることにより容器本体１１を成形することができる。従って、型は上下型だけでよく、係合孔１９形成用のスライドコアを必要としない。また、保持部材２１の外面には補強凸条２７が形成される。そのため、金型を使用して成形し、その型開きをした後、薄板状をなす保持部材２１が反るのが防止される。
【００２６】
また、組付け作業において、一対の保持部材２１は他方の突出部２５が上方へ突出するようにそれぞれ容器本体１１に組付けられる。一対の保持部材２１において、各突出部２５はその軸線に対して線対称に形成されている。そのため、各保持部材２１は突出部２５の突出向きを確認する必要なく容器本体１１に組付けられる。
【００２７】
次に、支持面１６上に支持された一対の保持部材２１において、各保持部材２１の外面と周面フランジ１７の内壁との間の隙間に指を入れ、図１の２点鎖線に示すように、各保持部材２１を上方へそれぞれ回動させ、それらの下側にゴミ袋１５の開口端部が位置するようにゴミ袋１５を巻き込む。その状態で、各保持部材２１を下方へ回動させて各保持部材２１の下端縁を支持面１６上に支持させ、一方の各突出部２５を凹部１８上に支持させる。このとき、下方に位置する一方の突出部２５は円弧状をなし、凹部１８も円弧状に凹設されているため、一方の突出部２５は凹部１８に対して円滑に入り込む。
【００２８】
各保持部材２１の外面には補強凸条２７が形成されているため、両側片２２及び中間片２３は内方へ反っていない。従って、両側片２２及び中間片２３は、それらの外面と容器本体１１の開口部内周面との間に大きな隙間が形成されず、外面が内周面に沿って配置されるとともに、わずかな隙間が形成される。すると、図４に示すように、ゴミ袋１５の開口端部が、各保持部材２１の下端縁と支持面１６との間、下方に位置する一方の突出部２５と凹部１８との間及び各保持部材２１の外面と容器本体１１の開口部内周面との間に挟み込まれる。さらに、係合突起２６が容器本体１１の係合孔１９に係合し、ゴミ袋１５の開口端部が係合突起２６と係合孔１９の内周面との間に挟み込まれる。
【００２９】
その結果、係合突起２６により両保持部材２１が容器本体１１の開口部に上方へ移動不能に保持されるとともに、ゴミ袋１５の開口端部が容器本体１１の開口部に沿って開口した状態で保持される。そして、ゴミを容器本体１１内に投入したとき、一対の保持部材２１によりゴミ袋１５がゴミの重みにより下方へずれ落ちたりするのが抑制される。
【００３０】
さらに、蓋体２９を支軸３５を中心に容器本体１１方向へ回動させることにより、容器本体１１の上部開口が蓋体２９により閉塞される。そして、ロック部材３３をその基端部を中心に下方へ回動させて、係止片３４を周面フランジ１７の下端縁に係止させることにより、ロック部材３３により蓋体２９が開放不能に保持される。
【００３１】
ゴミ袋１５を回収するときには、まず、係止片３４と周面フランジ１７の下端縁との係止状態を解除し、図３の２点鎖線に示すように、ロック部材３３をその基端部を中心に上方へ回動させる。次いで、蓋体２９を支軸３５を中心に上方へ回動させて、容器本体１１の上部開口を開放する。
【００３２】
次に、保持部材２１の外面と周面フランジ１７の内壁との間の隙間に指を入れ、図５の２点鎖線に示すように、その指により各保持部材２１の他方の突出部２５を容器本体１１の内方へ押圧して撓ませ、係合突起２６と係合孔１９との係合をそれぞれ解除する。各保持部材２１を上方へ回動させ、それらに対するゴミ袋１５の開口端部の巻き込みを解除する。そして、各保持部材２１を下方へ回動させ、それらを支持面１６上に支持させるとともに、係合突起２６を係合孔１９に係合させる。
【００３３】
最後に、ゴミ袋１５の開口端部を持って上方へ持ち上げてゴミ袋１５を容器本体１１内から取り出す。このとき、各保持部材２１は係合突起２６により上方へ移動不能になっているため、ゴミ袋１５を持ち上げたとき、保持部材２１がゴミ袋１５とともに上方へ移動するのが防止される。
【００３４】
前記の実施形態によって発揮される効果について、以下に記載する。
・  一対の保持部材２１において、各突出部２５は保持部材２１の軸線に対して線対称に形成されている。そのため、一対の保持部材２１を容器本体１１に組付けるとき、従来のように突出部２５の突出向きを確認する必要なく容器本体１１に組付けることができ、その組付け時間の短縮を図ることができる。
【００３５】
・  保持部材２１の各突出部２５は円弧状をなし、支持面１６の凹部１８は円弧状に凹設されている。そのため、支持面１６上に保持部材２１を支持させたとき、突出部２５は凹部１８に円滑に入り込み、保持部材２１を支持面１６上に容易に支持させることができる。また、支持面１６と保持部材２１の下端縁との間、支持面１６の凹部１８と一方の突出部２５との間にゴミ袋１５が挟み込まれる。そのため、面一の支持面１６と保持部材２１の下端縁との間のみにゴミ袋１５が挟み込まれる場合と比較して、ゴミ袋１５をより強固に保持することができる。
【００３６】
・  各保持部材２１の外面中央には係合突起２６が形成され、保持部材２１を支持面１６上に支持させたとき、係合突起２６は係合孔１９に係合する。そのため、ゴミ袋１５を保持したとき、保持部材２１が上方へ回動するのを防止して、ゴミ袋１５を容器本体１１の上部開口部に保持することができる。また、ゴミ袋１５の開口端部を保持部材２１に巻き付けた状態のとき、係合突起２６と係合孔１９の内周面との間にゴミ袋１５の開口端部が挟み込まれ、ゴミ袋１５内にゴミが投入されたとき、ゴミ袋１５が下方へずれるのを抑制することができる。さらに、ゴミ袋１５を上方へ持ち上げて容器本体１１内から取出すとき、保持部材２１がゴミ袋１５とともに上方へ移動するのを防止して、ゴミ袋１５の取り出し作業を容易に行うことができる。
【００３７】
・  保持部材２１の外面にはその軸線に沿って補強凸条２７が形成されているため、両側片２２及び中間片２３において、それらが内方へ反るのが防止される。従って、各保持部材２１の両側片２２及び中間片２３の外面と容器本体１１の開口部内周面との間に大きな隙間が形成されず、ゴミ袋１５の開口端部を各保持部材２１の外面と容器本体１１の開口部内周面との間に挟み込むことができ、ゴミ袋１５の開口端部を容器本体１１の上部開口部に確実に保持することができる。
【００３８】
・  容器本体１１において、係合孔１９及び軸孔２０はそれぞれ下方が開放された状態で形成されているため、型は上下型だけでよく、係合孔１９及び軸孔２０形成用のスライドコアを必要としない。その結果、容器本体１１成型用の型を簡易化して製造コストの低減を図ることができる。
【００３９】
なお、本実施形態は、次のように変更して具体化することも可能である。
・  各保持部材２１の両突出部２５を四角板状、三角板状に形成し、凹部１８を突出部２５に対応するように四角形状、逆三角形状に凹設しても良い。
【００４０】
・  蓋体２９、ロック部材３３及びジョイント３０を省略しても良い。
・  各保持部材２１の係合突起２６及び補強凸条２７の少なくとも一方を省略し、係合突起２６を省略した場合、容器本体１１の係合孔１９を省略しても良い。このように構成した場合、保持部材２１の材料の節約を図ることができる。
【００４１】
・  係合突起２６を２箇所以上に形成し、それに対応して容器本体１１に係合孔１９を２箇所以上に形成しても良い。このように構成した場合、係合突起２６による係合箇所を増加させて、保持部材２１の上方への回動をより一層抑制することができる。
【００４２】
・  補強凸条２７を中間片２３のみ、両側片２２のみ又は中間片２３からどちらか一方の側片２２のみにかけて形成しても良い。このように構成した場合、補強凸条２７が形成された部分の反りを防止することができる。
【００４３】
・  保持部材２１の軸線方向へ延びる両側縁部に、所定間隔又は任意の間隔をおいて突出部２５を複数箇所に形成するとともに、各突出部２５を前記軸線を中心に線対称に形成しても良い。また、各突出部２５を四角板状、三角板状に形成しても良い。そして、各突出部２５に対応するように支持面１６に凹部１８を凹設しても良い。このように構成した場合も、従来のように各保持部材２１を突出部２５の突出向きを確認する必要なく容器本体１１に組付けることができ、その組付け時間の短縮を図ることができる。
【００４４】
・  容器本体１１を平面円形状に形成し、一対の保持部材２１をそれぞれ平面半円状に形成し、支持面１６上に支持させたとき、その外面が容器本体１１の上部開口部の内周面に沿うように形成する。そして、各保持部材２１の軸線方向へ延びる両側縁部に、突出部２５を１箇所又は複数箇所に形成するとともに、各突出部２５を軸線を中心に線対称に形成しても良い。
【００４５】
・  保持部材２１をその両側片２２が容器本体１１の長側壁１４の長さとほぼ同じ平面コ字状に形成するとともに、その両端部に回動軸２４を形成する。容器本体１１の両長側壁１４において、それらの一端部に軸孔２０を形成する。さらに、各保持部材２１の軸線方向へ延びる両側縁部に、突出部２５を１箇所又は複数箇所に形成するとともに、各突出部２５を軸線を中心に線対称に形成しても良い。そして、各回動軸２４を軸孔２０にそれぞれ嵌合し、１つの保持部材２１だけを容器本体１１の上部に取り付けても良い。このように構成した場合も、１つの保持部材２１のみでゴミ袋１５を保持することができるため、一対の保持部材２１を容器本体１１に組付ける場合と比較して、その作業時間の短縮を図ることができる。
【００４６】
・  保持部材２１により袋を保持した容器本体１１を、医療廃棄物の回収用、洗濯物の回収用等に使用しても良い。
・  中間片２３の軸線方向への長さを長側壁１４の上端部と同じ長さに形成し、両側片２２の軸線方向への長さを短側壁１３の上端部と同じ長さ又はほぼ半分の長さに形成する。さらに、両短側壁１３の一端部又はほぼ中間部に軸孔２０を形成する。そして、各保持部材２１を、それらの中間片２３を容器本体１１の各長側壁１４に、両側片２２を短側壁１３にそれぞれ対応させて、容器本体１１の開口部の内周面に沿って配置し、それらの両回動軸２４を軸孔２０にそれぞれ嵌挿して、両保持部材２１を支持面１６上に支持させても良い。
【００４７】
・  容器本体１１、保持部材２１及び蓋体２９の少なくとも１つを金属材料、木材等により形成しても良い。
さらに、前記実施形態より把握できる技術的思想について以下に記載する。
【００４８】
・  前記突出部はそれぞれ円弧状に形成され、前記凹部は突出部に対応する円弧状に形成されている袋止めを備えた容器。
【００４９】
このように構成した場合、支持面上に袋止めを支持させたとき、凹部に下方に位置する突出部が円滑に入り込む。そのため、袋止めを即座に、かつ安定した状態で支持面上に支持させることができる。
【００５０】
・  前記袋止めは、その外面に容器本体の開口部内周面に形成された係合孔に係合して、袋止めの上方への移動を規制する係合突起を少なくとも一箇所に備え、前記係合孔は容器本体の下方へ開口するように形成されている袋止めを備えた容器。
このように構成した場合、容器本体成形用の型を上下に型閉めすることにより容器本体を成形することができる。従って、型は上下型だけでよく、係合孔形成用のスライドコアを必要としない。その結果、容器本体成型用の型の製造を簡易化して製造コストの低減を図ることができる。
【００５１】
【発明の効果】
以上詳述したように、この発明によれば、次のような効果を奏する。
請求項１に記載の発明の袋止めを備えた容器によれば、容器本体に対する袋止めの組付けを簡単に行うことができるとともに、袋を確実に保持できる。また、袋止めが内方へ反るのが防止される。従って、袋止めの外面と容器本体の開口部内周面との間に大きな隙間が形成されず、袋の開口端部を各袋止めの外面と容器本体の開口部内周面との間に挟み込むことができ、袋の開口端部を容器本体の上部開口部に確実に保持することができる。
【図面の簡単な説明】
【図１】  実施形態の袋止めを備えた容器を示す斜視図。
【図２】  実施形態の袋止めを備えた容器を示す分解斜視図。
【図３】  実施形態の容器本体と蓋体を示す部分側面図。
【図４】  保持部材と容器本体との係合状態を示す部分断面図。
【図５】  実施形態の袋止めを備えた容器を示す平面図。
【符号の説明】
１１…容器本体、１５…袋としてのゴミ袋、１６…支持面、１８…凹部、１９…係合孔、２１…袋止めとしての保持部材、２５…突出部、２６…係合突起、２７…補強凸条、２８…袋止めを備えた容器。
【図１】
0004460692.tif 000002
【図２】
0004460692.tif 000003
【図３】
0004460692.tif 000004
【図４】
0004460692.tif 000005
【図５】
0004460692.tif 000006